(57)【特許請求の範囲】
【請求項１】
ロール紙が投入されたホルダと、
前記ロール紙の下部を支持しかつ前記ロール紙をその芯軸周りに回転させる２つのローラ軸と、
前記ロール紙における下部位置に存する前記ロール紙の最外周の先端部を剥がしかつロール紙ガイド口に導くスクレーパと、
前記ロール紙ガイド口以降において剥がされた前記ロール紙を移動させる通路の部材として形成されかつ券切れ検知センサによる券切れ検知がなされたとき前記通路の長さを含む前記券切れ検知センサから印字部までのロール紙搬送ルートの長さによって所定枚数分の券に相当するロール紙長を確保するロール紙迂回経路部と、
を設けた自動装填装置を備えることを特徴とする発券装置。
【請求項２】
前記ロール紙迂回経路部は、前記ホルダ内に配置されるロール紙の周りの空間において環状形態で形成される通路の部材であることを特徴とする請求項１記載の発券装置。
【請求項３】
前記スクレーパは、その端部が前記ロール紙の周囲面にバネで押し付けられ、前記ロール紙を回転させるとき前記ロール紙の先端部を剥がし前記ロール紙迂回経路部に導くことを特徴とする請求項１または２記載の発券装置。
【発明の詳細な説明】
【技術分野】
【０００１】
本発明は発券装置に関し、特に、ロール紙自動装填装置を備えた発券装置に関するものである。
【背景技術】
【０００２】
現在の発券装置では、代表的に、手動（手差し）によるロール紙装填装置が内蔵されている。ロール紙装填装置は、ロール紙を充填し、さらに繰り出されたロール紙を適宜な寸法でカットすることにより普通券等の券用紙を提供する。手動による従来のロール紙充填装置（すなわちロール紙装填装置。以下において「装填」と「充填」を「ロール紙をロール紙ホルダの内部スペースに投入する」という意味にて実質的に同じ意味で用いる。）によれば、構成上、ロール紙ホルダは、ロール紙の内側に位置するリング状芯部をホルダ中央部での支持ピンにより回転可能に支持するようにしている。手動によるロール紙充填装置によれば、発券装置への装着時に、ホルダにセットされたロール紙は、その最外周のロール紙先端部が引き出され、手差しによって挿入口に挿入される。そして、当該手動によるロール紙自動充填装置では、構造的に、ロール紙の挿入口から次客待機位置（印字部の手前位置）までの間において、小型の券（エドモンソン券）について１７枚分以上のロール紙長（約５１０ｍｍ以上（３０ｍｍ×１７枚以上の長さに相当する））を確保できる搬送ルートが確保されている。この所定のロール紙長は、紙切れ検知のために必要な長さである。紙切れ検知センサは、ロール紙の挿入口の付近に配置されている。上記の所定のロール紙長は、ロール紙の残量が少なくなった場合にも、ロール紙の芯部をホルダ中央部で回転可能に支持する構造であるため、十分に確保することができる。
【０００３】
従来の発券装置の技術文献として特許文献１を挙げる。特許文献１は、乗車券を発券する発券装置において、ロール紙にカール癖がつきにくいオートローディングが可能なロール紙繰り出し部を小型にする構成を開示している。
【先行技術文献】
【特許文献】
【０００４】
【特許文献１】特開２０１１−２１６０８１号公報
【発明の概要】
【発明が解決しようとする課題】
【０００５】
近年、発券装置では、自動型のロール紙充填装置を備える構成が求められている。自動型のロール紙充填装置（ロール紙自動充填装置）の場合には、ロール紙ホルダ内にロール紙を投げ込みセットした後、発券装置への装着時に、ロール紙回転駆動機構が自動的に駆動制御され、ロール紙ホルダ内のロール紙を回転させて、最外周のロール紙先端部を挿入口に自動的に挿入するように構成されている。かかる自動型のロール紙充填装置を開発する場合には、手動によるロール紙充填装置と同じ搬送ルートでロール紙をセットすると、紙切れ検知のための必要な長さの搬送ルートを確保することができないという問題点を有していた。その理由は次の通りである。自動型のロール紙充填装置では、ロール紙ホルダにおいてロール紙はロール紙投げ込み方式であるため、芯部支持方式ではなく、下部支持方式の載置型構造にとなる。その結果、ロール紙ホルダにセットされたロール紙の残量が少なくなると、ロール紙全体が下方に移動して搬送ルートが短くなる。
【０００６】
本発明の目的は、上記の課題に鑑み、ロール紙自動充填装置を内蔵する発券装置において紙切れ検知のための所定のロール紙長を確保できるようにした発券装置を提供することにある。
【課題を解決するための手段】
【０００７】
本発明に係る発券装置は、上記の目的を達成するため、次のように構成される。
【０００８】
第１の発券装置（請求項１に対応）は、ロール紙が投入されたホルダと、ロール紙の下部を支持しかつ前記ロール紙をその芯軸周りに回転させる２つのローラ軸と、ロール紙における下部位置に存するロール紙の最外周の先端部を剥がしかつロール紙ガイド口に導くスクレーパと、ロール紙ガイド口以降において剥がされたロール紙を移動させる通路の部材として形成されかつ券切れ検知センサによる券切れ検知がなされたとき通路の長さを含む券切れ検知センサから印字部までのロール紙搬送ルートの長さによって所定枚数分の券に相当するロール紙長を確保するロール紙迂回経路部と、を設けた自動装填装置を備えることを特徴としている。
【０００９】
上記の発券装置では、ロール紙自動装填装置を備える構成とし、さらに当該ロール紙自動装填装置について、ロール紙の全体を支持する構成を下側から回転自在に支持するロール紙下部支持型ホルダを備え、併せて、紙切れ検知のための所定のロール紙長を確保する目的で、ロール紙ガイド口以降において剥がされたロール紙を移動させる通路の部材として形成されかつ券切れ検知センサによる券切れ検知がなされたとき通路の長さを含む券切れ検知センサから印字部までのロール紙搬送ルートの長さによって所定枚数分の券に相当するロール紙長を確保するロール紙迂回経路部を設けるようにした。これによって、発券装置におけるロール紙装填装置以外のその他の部分の構成を大きく変更することなく、紙切れ検知のための所定のロール紙長をロール紙ホルダ内等に確保することができる。
【００１０】
第２の発券装置（請求項２に対応）は、上記の構成において、好ましくは、ロール紙迂回経路部は、ホルダ内に配置されるロール紙の周りの空間において環状形態で形成される通路の部材であることを特徴とする。
【００１２】
第３の発券装置（請求項３に対応）は、上記の構成において、好ましくは、スクレーパは、その端部が前記ロール紙の周囲面にバネで押し付けられ、ロール紙を回転させるときロール紙の先端部を剥がしロール紙迂回経路部に導くことを特徴とする。
【発明の効果】
【００１４】
本発明に係る発券装置によれば、ロール紙自動充填タイプの発券装置であり、ロール紙ホルダ内等でロール紙を一周させ、所定のロール紙長を確保するためのロール紙迂回経路部を設けるようにしたため、ロール紙ホルダ内等で券切れ検知に必要なロール紙長を確保することができ、手動式のロール紙充填装置を備えていた場合の印字部やカッター部、磁気処理部等の元々の構成に変更を加えることなくロール紙自動充填タイプの発券装置を実現でき、券切れ検知センサを実装することができ、さらにロール紙ホルダの外の従来のロール紙搬送ルートを変更することなく曲がりが緩い搬送ルートをそのまま利用することができる。
【図面の簡単な説明】
【００１５】
【図１】本発明に係る発券装置の実施形態を示し、ロール紙自動充填装置の部分の正面図である。
【図２】本実施形態に係る発券装置のロール紙自動充填装置におけるロール紙搬送ルートおよびその周辺に配置される関連装置の構成を示す正面図である。
【図３】ロール紙ホルダのみを示す正面図である。
【図４】ロール紙ホルダにロール紙を投入するときのホルダの状態を示す図３と同様な図である。
【発明を実施するための形態】
【００１６】
以下に、本発明の好適な実施形態（実施例）を添付図面に基づいて説明する。
【００１７】
図１〜図４を参照して、本発明の実施形態に係る発券装置の要部の構造を説明する。この要部の構造は、ロール紙自動充填装置（ロール紙自動装填装置）に関する部分の構造である。図１は、発券装置におけるロール紙自動充填装置の部分を示し、図２は、発券装置のロール紙自動充填装置におけるロール紙搬送ルートおよびそのルート周辺に配置される関連装置の構成を示している。図３は通常の使用状態にセットしたロール紙ホルダのみを示し、図４はロール紙ホルダにロール紙を投入するときの状態（姿勢）を示す。
【００１８】
図１において、１１はロール紙自動充填装置であり、ロール紙自動充填装置１１において、上側の位置にロール紙ホルダ１２が設けられており、ロール紙ホルダ１２の下側にはロール紙ホルダ１２から引き出されたロール紙を搬送するルート、および当該ロール紙搬送ルートの周辺に配置された各種の装置が設けられている。
【００１９】
ロール紙ホルダ１２から引き出されたロール紙に関するロール紙搬送ルートについては、図２において、太い実線（矢印付き）のライン１３Ａによって示されている。なお本実施形態に係る発券装置のロール紙自動充填装置１１において、ロール紙搬送ルートは、後述するように、ロール紙ホルダ１２の内部にも作られる。ロール紙ホルダ１２内のロール紙搬送ルートは、太い破線のライン１３Ｂによって示されている。ロール紙搬送ルート１３Ｂとロール紙搬送ルート１３Ａはつながって１つのロール紙搬送ルートを形成しているが、図２では図示の便宜上、太い破線と実線によって分けて図示している。
【００２０】
ロール紙ホルダ１２には、ロール紙を縦方向の姿勢で収容するための所要の幅および径を有する周知の内部スペースが形成されている。図２および図３等に示すように、ロール紙ホルダ１２の内部スペースに収容されたロール紙１４は、その軸が水平方向になるように維持される。ロール紙１４は、円環状の芯部１４Ａと、当該芯部１４Ａの周囲にロール状に巻き付けられた紙部１４Ｂとから構成される。ロール紙ホルダ１２は、側壁プレート１５に設けられた軸部１６の周りに回転するように取り付けられる。図３は反時計方向に回転させ通常の使用状態にセットされたロール紙ホルダ１２を示し、図４は時計方向に回転させた状態のロール紙ホルダ１２を示す。ロール紙ホルダ１２の上部には開閉自在な蓋部１７が設けられている。この蓋部１７を開けて、ロール紙１４をロール紙ホルダ１２の内部スペースに投入する。図４は、ロール紙ホルダ１２の蓋部１７を開けた状態を示す。通常の使用状態では、図３に示すようにロール紙ホルダ１２の蓋部１７は閉じた状態にある。また図３と図４に示すように、ロール紙ホルダ１２の下部、左側中央部、右側下部には、それぞれ開放部１２Ａ，１２Ｂ，１２Ｃが形成されている。
【００２１】
上記のロール紙自動充填装置１１において、ロール紙ホルダ１２が通常の使用状態にセットされると、ロール紙自動充填装置１１は図１〜図３に示された状態にある。このとき、ロール紙ホルダ１２の内部スペースに収容されたロール紙１４は自重で下方に移動し、開放部１２Ａから露出し、水平横方向に所定の距離を開けて設置されたローラ軸２１，２２によって支持される。この支持状態は、特に明確に図２および図３に示されている。ローラ軸２１，２２はロール紙１４の下部を支持している。ローラ軸２１，２２はロール紙１４の紙部１４Ｂに接触している。これらのローラ軸２１，２２は上記の側壁プレート１５に立設されており、ローラ軸２１，２２は図２の矢印２３に示すように、必要なタイミングで、反時計方向に回転するように駆動される。ローラ軸２１，２２を回転させるモータ装置、駆動機構、および当該モータ装置の動作を制御する制御装置等は、その下方位置に設けられている。ローラ軸２１，２２が、制御装置の制御の下で、適宜なタイミングで矢印２３の方向に回転することにより、ローラ軸２１，２２に支持されたロール紙１４は時計回りの方向に回転させられる。ロール紙１４が、自動制御の下で時計方向に回転すると、紙部１４Ｂの最外周の紙の先端部が下記のごとく剥ぎ取られ、繰り出されることになる。
【００２２】
ロール紙１４の最外周の紙面にはスクレーパ３１の先端３１Ａが押し付けられて接触している。スクレーパ３１は、基端３１Ａで回転自在に取り付けられており、かつコイルバネによってその先端３１Ａがローラ紙１４の最外周の紙面に押し付けられるようになっている。この状態で、上記のごとくロール紙１４が時計回りに回転すると、スクレーパ３１の先端３１Ａが、ロール紙１４の紙部１４Ｂの先端部を剥がし、ロール紙ガイド口３２に導く。
【００２３】
ロール紙ホルダ１２内において、ロール紙ガイド口３２以降の部分にはロール紙迂回経路部３３が設けられている。ロール紙迂回経路部３３は、ロール紙ガイド口３２に導かれたロール紙１４の紙の先端部を移動させるための通路である。このロール紙迂回経路部３３は、ロール紙ホルダ１２内において、ロール紙ホルダ１２内に収容され配置されたロール紙１４の周りにおいて、左側部、上側部、右側部のごとく、周回する環状形態を有するように形成されている。３４はロール紙排出口である。ロール紙排出口３４は、上記の開放部１２Ｃに臨んでいる。ロール紙１４の回転が継続されると、ロール紙ガイド口３２に導かれたロール紙の先端部は、ロール紙迂回経路部３３の内部を通路に従って移動し、ロール紙排出口３４から排出され、さらに開放部１２Ｃを通ってロール紙ホルダ１２から外に出る。
【００２４】
ロール紙ホルダ１２の下側には、ロール紙挿入口４１、ガイド装置４２、モータ装置４３、モータ本体４４、ガイドローラ４５、印字部４６、カット部４７が設けられている。これらの装置はロール紙搬送ルート１３Ａに沿って配置されている。またロール紙ホルダ１２の左側において、開放部１２Ｂに臨むように券切れ検知センサ４８が設けられている。券切れ検知センサ４８はロール紙搬送ルート１３Ｂに沿って、かつその外側位置に、配置されている。
【００２５】
ロール紙挿入口４１は、ロール紙排出口３４から排出されたロール紙の先端部を導き入れる。ガイド装置４２は、ロール紙挿入口４１に入ったロール紙を下方にガイドする。支持回転軸５１，５２を利用して前述したローラ軸２１，２２にベルト５３を架け渡した構成において、モータ装置４３は当該ベルト５３を回転させるように構成され、ローラ軸２１，２２を回転させる。ガイドローラ４５はロール紙の先端部を印字部４６へガイドする。印字部４６は、普通の小型券等を作るために必要な情報をロール紙の先部に印字する。印字のための必要な情報は、発券装置において旅客等がその表示・操作盤等を操作することにより制御装置から提供される。カット部４７は、ロール紙の先部をカットして、普通の小型券等を作り出す。その後、小型券等は券搬送機構４９によって搬送される。
【００２６】
上記の券切れ検知センサ４８は、ロール紙１８において紙部１４Ｂがなくなった場合にはその状態を検知し、図示しない制御装置に券切れ検知信号を送信する。券切れ検知センサ４８によって券切れ検知がなされたとき、ロール紙搬送ルート１３Ｂ，１３Ａにおいて、当該券切れ検知センサ４８から印字部４６の手前位置までのロール紙の長さは小型券（エドモンソン券）について１７枚分以上ののロール紙長を有している。従って、ロール紙ホルダ１２内にロール紙迂回経路部３３を設けたことにより、小型券（エドモンソン券）１７枚分以上のロール紙長を確保することができる。
【００２７】
上記のロール紙自動充填装置１１に関する動作を説明する。ロール紙自動充填装置１１において、図４に示すような状態でロール紙１４をロール紙ホルダ１２の内部スペースに投入し、当該ロール紙ホルダ１２を図３等に示すような通常の使用状態にセットする。その後、当該セット状態を検知してモータ装置４３が動作を開始し、ローラ軸２１，２２を矢印２３のごとく反時計方向に回転させる。ローラ軸２１，２２が当該回転を行うと、ロール紙１４が時計方向に回転する。そのため、スクレーパ３１で、ロール紙１４の紙部１４Ｂの最外周の紙の先端部が剥がれ、ロール紙ガイド口３２に導かれる。その後、ロール紙１４が継続して回転されることを条件に、ロール紙１４の紙の先端部は、ロール紙搬送ルート１３Ｂで示されるように、ロール紙ホルダ１２を周回するロール紙迂回経路部３３でガイドされて移動し、ロール紙排出口３４から排出される。ロール紙排出口３４から排出されたロール紙１４の紙の先端部はロール紙挿入口４１に導かれ、その後、ロール紙搬送ルート１３Ａに示されるように、印字部４６まで移動する。ロール紙１４が使用されるにつれ、ロール紙１４の紙部１４Ｂの厚みが減り、ロール紙１４の芯部１４Ａが下方に移動するが、ロール紙１４の全体は常にローラ軸２１，２２によって支持されている。
【００２８】
上記の構成によれば、主にロール紙ホルダ１２の構造についてロール紙迂回経路部３３を設けるという変更を行うだけでロール紙自動充填装置１１を実現することができ、ロール紙自動充填装置１１におけるロール紙ホルダ１２以外の部分の構成は変更することなく、曲がりの緩やかなロール紙搬送ルート１３Ａを保持することができる。
【００２９】
上記の実施形態において、ロール紙迂回経路部３３をロール紙ホルダ１２内に設けたが、これに限定されず、ロール紙ホルダ１２の外側に設けることもできる。ロール紙１４を回転させる回転駆動系はモータ装置４３の構成に限定されない。
【００３０】
以上の実施形態で説明された構成、形状、大きさおよび配置関係については本発明が理解・実施できる程度に概略的に示したものにすぎず、また数値および各構成の組成（材質）等については例示にすぎない。従って本発明は、説明された実施形態に限定されるものではなく、特許請求の範囲に示される技術的思想の範囲を逸脱しない限り様々な形態に変更することができる。
【産業上の利用可能性】
【００３１】
本発明に係る発券装置は、発券装置のロール紙充填装置を自動型のロール紙充填装置とする場合において、ロール紙ホルダを下部支持型とし、かつ券切れ検知を可能にする所定の所定のロール紙長を確保するための構成を有するようにし、ロール紙自動充填装置を有する発券装置として構成するのに利用される。
【符号の説明】
【００３２】
１１                    ロール紙自動充填装置
１２                    ロール紙ホルダ
１２Ａ，１２Ｂ，１２Ｃ  開放部
１３Ａ                  ロール紙搬送ルート
１３Ｂ                  ロール紙搬送ルート
１４                    ロール紙
１４Ａ                  芯部
１４Ｂ                  紙部
１５                    側壁プレート
１７                    蓋部
２１，２２              ローラ軸
３１                    スクレーパ
３２                    ロール紙ガイド口
３３                    ロール紙迂回経路部
３４                    ロール紙排出口
４１                    ロール紙挿入口
４２                    ガイド装置
４３                    モータ装置
４６                    印字部
４７                    カット部
４８                    券切れ検知センサ
【図１】
0006742050.tif 000002
【図２】
0006742050.tif 000003
【図３】
0006742050.tif 000004
【図４】
0006742050.tif 000005